【手続補正書】
【提出日】平成16年12月6日(2004.12.6)
【手続補正１】
【補正対象書類名】特許請求の範囲
【補正対象項目名】全文
【補正方法】変更
【補正の内容】
【特許請求の範囲】
【請求項１】
空間的に分散したオブジェクト群またはネットワーク群についてのデータを収集するコンピュータ化システムであって、
測定された性能計量値および入力された品質尺度からなる群から選択される測定情報を受信する測定データ入力と、
テキスト文字列およびアイコンからなる群から選択される選択項目の予め定義された組から記述的情報を受信する記述的データ入力と、
前記測定情報および前記記述的情報の関連付けおよび記憶を行う手段と、
を備えるコンピュータ化システム。
【請求項２】
前記測定データ入力にデータ通信のためにリンクされる少なくとも１つの測定ツールをさらに備える、請求項１に記載のコンピュータ化システム。
【請求項３】
前記測定ツールは、前記測定データ入力に電気的に接続される、請求項２に記載のコンピュータ化システム。
【請求項４】
前記測定データ入力は、ホストコンピュータに位置し、前記記述的データ入力は、スレーブコンピュータに位置し、前記測定データ入力によって受信された測定情報は、前記ホストコンピュータと前記スレーブコンピュータとの間の通信に基づく性能計量値である、請求項２に記載のコンピュータ化システム。
【請求項５】
前記測定情報を前記測定データ入力に選択的に入力する手段をさらに備える、請求項２に記載のコンピュータ化システム。
【請求項６】
前記測定情報は、予め定義された複数の選択項目の中から、前記選択的に入力する手段によって選択される品質判定基準である、請求項５に記載のコンピュータ化システム。
【請求項７】
前記選択的に入力する手段は、キーボード、ボタン、スイッチ、スタイラス入力、マウス、タッチスクリーン、ノブ、および音声起動検出器からなる群から選択される、請求項５に記載のコンピュータ化システム。
【請求項８】
前記選択項目の予め定義された組は、少なくとも、前記選択項目の第１のリストおよび第２のリストを含む、請求項１に記載のコンピュータ化システム。
【請求項９】
テキスト文字列およびアイコンからなる前記群から選択された選択項目を、前記選択項目の第１のリストおよび第２のリストの少なくとも一方に加える手段をさらに備える、請求項８に記載のコンピュータ化システム。
【請求項１０】
前記選択項目の予め定義された組に選択項目を加える手段をさらに備える、請求項１に記載のコンピュータ化システム。
【請求項１１】
前記測定データ入力に受信される前記測定データに基づいて、前記記述的データによって受信される前記記述的情報を自動的に選択する手段をさらに備える、請求項１に記載のコンピュータ化システム。
【請求項１２】
前記自動的に選択する手段によって選択された前記記述的情報を表示する手段をさらに備える、請求項１１に記載のコンピュータ化システム。
【請求項１３】
前記測定情報および前記記述的情報を表示する手段をさらに備える、請求項１に記載のコンピュータ化システム。
【請求項１４】
前記選択項目の予め定義された組における前記記述的情報は、場所情報に関連するテキスト文字列を含む、請求項１に記載のコンピュータ化システム。
【請求項１５】
前記選択項目の予め定義された組についての選択された環境データベースモデルに基づいて、場所情報に関連する前記テキスト文字列を自動的に選択する手段をさらに備える、請求項１４に記載のコンピュータ化システム。
【請求項１６】
前記選択項目の予め定義された組における前記選択項目は、アイコンである、請求項１に記載のコンピュータ化システム。
【請求項１７】
前記選択項目の予め定義された組における前記選択項目は、テキスト文字列である、請求項１に記載のコンピュータ化システム。
【請求項１８】
前記選択項目の予め定義された組における前記記述的情報は、オペレータを促すアイコンを含む、請求項１１に記載のコンピュータ化システム。
【請求項１９】
前記選択項目の予め定義された組における前記記述的情報は、オペレータを促す少なくとも１つのテキスト文字列を含む、請求項１１に記載のコンピュータ化システム。
【請求項２０】
前記選択項目の予め定義された組を表示する手段をさらに備える、請求項１に記載のコンピュータ化システム。
【請求項２１】
前記第１のリストおよび前記第２のリストの双方から選択項目を選択する手段をさらに備える、請求項８に記載のコンピュータ化システム。
【請求項２２】
前記第１のリストにおける前記選択項目は、テキスト文字列であり、前記第２のリストにおける前記選択項目は、図形アイコンである、請求項８に記載のコンピュータ化システム。
【請求項２３】
前記測定情報および前記記述的情報の前記関連付けおよび記憶を行う手段は、オペレータが、前記記述的データ入力に対する記述的情報および前記測定データ入力に対する測定情報を承認することを可能にする承認スイッチを備える、請求項１に記載のコンピュータ化システム。
【請求項２４】
前記承認スイッチは、ハードボタンもしくはソフトボタンまたは接触である、請求項２３に記載のコンピュータ化システム。
【請求項２５】
環境データベースモデルと、前記環境データベースモデルの少なくとも一部を、前記測定情報および前記記述的情報の少なくとも一方と共に表示する手段と、をさらに備える請求項１に記載のコンピュータ化システム。
【請求項２６】
前記測定情報および前記記述的情報の前記少なくとも一方は、前記環境データベースモデルの少なくとも１つの特定の場所に関連し、前記表示する手段は、前記測定情報および前記記述的情報の前記少なくとも一方を、前記環境データベースモデルの前記少なくとも１つの特定の場所に表示する、請求項２５に記載のコンピュータ化システム。
【請求項２７】
空間的に分散したオブジェクト群またはネットワーク群についてのデータを収集する方法であって、
測定された性能計量値および入力された品質尺度からなる群から選択される測定情報を取得するステップと、
テキスト文字列およびアイコンからなる群から選択される選択項目の予め定義された組から記述的情報を取得するステップと、
前記測定情報および前記記述的情報の関連付けおよび記憶を行うステップと、
を含む方法。
【請求項２８】
前記測定情報および前記記述的情報を表示するステップをさらに含む、請求項２７に記載の方法。
【請求項２９】
前記記述的情報を取得するステップは、前記選択項目の予め定義された組を表示するステップと、前記選択項目の予め定義された組における前記選択項目の少なくとも１つを選択するステップとを含む、請求項２７に記載の方法。
【請求項３０】
前記記述的情報を取得するステップは、前記選択項目の予め定義された組に少なくとも１つの選択項目を加えるステップをさらに含む、請求項２７に記載の方法。
【請求項３１】
前記測定情報を取得するステップは、測定ツールを用いて実行される、請求項２７に記載の方法。
【請求項３２】
前記測定は、性能計量値を測定する、請求項３１に記載の方法。
【請求項３３】
前記測定情報を取得するステップは、前記測定ツールからコンピュータへ測定値を伝達するステップをさらに含み、前記関連付けおよび記憶を行うステップは、前記コンピュータで実行される、請求項３１に記載の方法。
【請求項３４】
前記測定情報を取得するステップは、キーボード、スタイラス、タッチスクリーン、マウス、および音声起動検出器からなる群から選択されるデバイスにより前記測定情報を入力することによって実行される、請求項２７に記載の方法。
【請求項３５】
前記測定情報を取得するステップは、測定ツールからコンピュータメモリに測定値を取り込むことにより自動的に実行される、請求項２７に記載の方法。
【請求項３６】
前記関連付けおよび記憶を行うステップは、ユーザによって制御される時に実行される、請求項２７に記載の方法。
【請求項３７】
前記関連付けおよび記憶を行うステップは、ユーザによって制御される場所で実行される、請求項２７に記載の方法。
【請求項３８】
前記関連付けおよび記憶を行うステップは、ユーザが、ボタン、スイッチ、スタイラス、ノブ、キーボード、マウス、タッチスクリーン、および音声起動検出器からなる群から選択されるアクチュエータを選択時に起動するステップを含む、請求項３６に記載の方法。
【請求項３９】
前記関連付けおよび記憶を行うステップは、ユーザが、ボタン、スイッチ、スタイラス、ノブ、キーボード、マウス、タッチスクリーン、および音声起動検出器からなる群から選択されるアクチュエータを選択される場所で起動するステップを含む、請求項３７に記載の方法。
【請求項４０】
前記記述的情報を取得するステップは、前記測定情報を取得するステップで取得される前記測定情報に応答して自動的に実行され、前記記述的情報は、前記測定情報によって決定される、請求項２７に記載の方法。
【請求項４１】
前記情報を取得するステップで取得される前記測定情報は、スレーブコンピュータとホストコンピュータとの間の通信に関連し、前記測定情報は、前記スレーブコンピュータと前記ホストコンピュータとの間の通信パラメータから導出される、請求項２７に記載の方法。
【請求項４２】
空間的に分散したオブジェクト群またはネットワーク群を視覚化する方法であって、
測定された性能計量値および入力された品質尺度からなる群から選択される測定情報を取得し、テキスト文字列およびアイコンからなる群から選択される選択項目の予め定義された組から記述的情報を取得し、かつ、前記測定情報および前記記述的情報の関連付けおよび記憶を行うことにより、前記分散したオブジェクト群またはネットワーク群についての測定情報および記述的情報を収集するステップと、
環境データベースモデルを取得するステップと、
前記収集するステップで収集される前記測定情報および前記記述的情報の少なくとも一方を、前記環境データベースモデルの少なくとも一部と共に表示するステップと、
を含む方法。
【請求項４３】
前記測定情報および前記記述的情報は、前記環境データベースモデルにおける特定の場所に関連し、前記表示するステップは、前記環境データベースモデルにおける前記特定の場所に、前記測定情報および前記記述的情報の前記少なくとも一方を表示するステップを含む、請求項４２に記載の方法。
【請求項４４】
環境に配置されるまたは配置されることになっている通信ネットワークに対してサイト調査を行う方法であって、
前記環境内の少なくとも１つの場所で前記通信ネットワーク用の少なくとも１つの性能計量値を取得するステップと、
テキスト文字列およびアイコンからなる群から選択される記述的情報を前記少なくとも１つの性能計量値と関連付けるステップと、
を含む方法。
【請求項４５】
前記性能基準は、ＲＳＳＩ、ＳＮＲ、ＳＩＲ、Ｅｃ／Ｉｏ、リトライ数、スループット、帯域幅、サービス品質、ビット誤り率、パケット誤り率、フレーム誤り率、パケット損失率、パケット待ち時間、ラウンドトリップ時間、伝播遅延、送信遅延、処理遅延、待ち行列遅延、ネットワーク容量、パケットジッタ、帯域幅遅延積、およびハンドオフ遅延時間からなる群から選択される請求項４４記載の方法。
【請求項４６】
前記環境内でのサイトの特定の場所は、前記テキスト文字列の少なくとも１つによって識別される請求項４４記載の方法。
【請求項４７】
前記環境内でのサイトの特定の場所は、前記アイコンの少なくとも１つによって識別される請求項４４記載の方法。
【請求項４８】
前記記述的情報は、テキスト文字列の１つ以上の所定の組から取得される請求項４４記載の方法。
【請求項４９】
前記テキスト文字列の１つ以上の所定の組の少なくとも１つを検証するステップをさらに有する請求項４８記載の方法。
【請求項５０】
前記記述的情報は、アイコンの１つ以上の所定の組から取得される請求項４４記載の方法。
【請求項５１】
前記アイコンの１つ以上の所定の組の少なくとも１つを検証するステップをさらに有する請求項５０記載の方法。
【請求項５２】
前記関連付けるステップにて関連付けられた前記少なくとも１つの性能計量値と前記記述的情報とを記憶するステップをさらに有する請求項４４記載の方法。
【請求項５３】
前記取得ステップ、関連付ステップ、及び記憶ステップのうちの少なくとも１つは、サーバコンピュータにて実行される請求項５２記載の方法。
【請求項５４】
前記取得ステップ、関連付ステップ、及び記憶ステップのうちの少なくとも１つは、クライアントコンピュータにて実行される請求項５２記載の方法。
【請求項５５】
前記取得ステップ、関連付ステップ、及び記憶ステップは、クライアントコンピュータ及びサーバコンピュータの両方を使用して実行される請求項５２記載の方法。
【請求項５６】
前記環境のサイト特定コンピュータの表示に前記少なくとも１つの性能計量値と前記記述的情報とを表示するステップをさらに有する請求項４４記載の方法。
【請求項５７】
前記取得ステップが実行される前に取得された前記環境内での前記少なくとも１つの場所における前記通信ネットワーク用の前記少なくとも１つの性能計量値に関係する事前情報と、
異なる通信ネットワーク用の前記少なくとも１つの性能計量値に関係する関連情報と
の少なくとも１つに関して、前記記憶ステップにて記憶された記憶情報を評価するステップをさらに有する請求項５２記載の方法。
【請求項５８】
前記取得ステップは、前記少なくとも１つの性能計量値を測定するステップを含む請求項４４記載の方法。
【請求項５９】
環境に配置される、または配置されることになっている通信ネットワークに対してサイト調査を行うシステムであって、
少なくとも１つのコンピュータと、
前記環境内の少なくとも１つの場所にて前記通信ネットワーク用の少なくとも１つの性能計量値を前記少なくとも１つのコンピュータへと入力する入力部と、
前記少なくとも１つのコンピュータ、または前記少なくとも１つのコンピュータと共に動作する少なくとも１つの測定装置で動作して、テキスト文字列及びアイコンからなる群から選択される記述的情報に前記少なくとも１つの性能計量値を関連させる少なくとも１つのコンピュータプログラムと
を有するシステム。
【請求項６０】
前記性能計量値は、ＲＳＳＩ、ＳＮＲ、ＳＩＲ、Ｅｃ／Ｉｏ、リトライ数、スループット、帯域幅、サービス品質、ビット誤り率、パケット誤り率、フレーム誤り率、パケット損失率、パケット待ち時間、ラウンドトリップ時間、伝播遅延、送信遅延、処理遅延、待ち行列遅延、ネットワーク容量、パケットジッタ、帯域幅遅延積、およびハンドオフ遅延時間からなる群から選択される請求項５９記載のシステム。
【請求項６１】
前記環境内でのサイトの特定の場所は、前記テキスト文字列の少なくとも１つによって識別される請求項５９記載のシステム。
【請求項６２】
前記環境内でのサイトの特定の場所は、前記アイコンの少なくとも１つによって識別される請求項５９記載のシステム。
【請求項６３】
前記記述的情報は、テキスト文字列の１つ以上の所定の組から取得される請求項５９記載のシステム。
【請求項６４】
前記少なくとも１つのコンピュータは、前記テキスト文字列の１つ以上の所定の組のうちの少なくとも１つを検証可能とするように構成されている請求項６３記載のシステム。
【請求項６５】
前記記述的情報は、アイコンの１つ以上の所定の組から取得される請求項５９記載のシステム。
【請求項６６】
前記少なくとも１つのコンピュータは、前記アイコンの１つ以上の所定の組のうちの少なくとも１つを検証可能とするように構成されている請求項６５記載のシステム。
【請求項６７】
前記少なくとも１つのコンピュータ、または前記少なくとも１つのコンピュータと共に動作する少なくとも１つの測定装置で動作する前記少なくとも１つのコンピュータプログラムによって関連づけられた前記少なくとも１つの性能計量値及び前記記述的情報を記憶する記憶媒体をさらに有する請求項５９記載のシステム。
【請求項６８】
前記少なくとも１つのコンピュータは、クライアントコンピュータ及びサーバコンピュータを少なくとも含み、前記サーバコンピュータは、前記少なくとも１つの性能計量値及び前記記述的情報を入力、関連付け、記憶する機能のうちの少なくとも１つを実行するために使用される請求項５９記載のシステム。
【請求項６９】
前記少なくとも１つのコンピュータは、クライアントコンピュータ及びサーバコンピュータを少なくとも含み、前記クライアントコンピュータは、前記少なくとも１つの性能計量値及び前記記述的情報を入力、関連付け、記憶する機能のうちの少なくとも１つを実行するために使用される請求項５９記載のシステム。
【請求項７０】
前記少なくとも１つのコンピュータは、クライアントコンピュータ及びサーバコンピュータを少なくとも含み、前記クライアントコンピュータ及び前記サーバコンピュータの両方は、前記少なくとも１つの性能計量値及び前記記述的情報を入力、関連付け、記憶する機能を実行するために使用される請求項５９記載のシステム。
【請求項７１】
前記環境のサイト特定コンピュータの表示に前記少なくとも１つの性能計量値と前記記述的情報とを表示するディスプレイをさらに有する請求項５９記載のシステム。
【請求項７２】
前記少なくとも１つのコンピュータは、
前記取得ステップが実行される前に取得された前記環境内での前記少なくとも１つの場所における前記通信ネットワーク用の前記少なくとも１つの性能計量値に関係する事前情報と、
異なる通信ネットワーク用の前記少なくとも１つの性能計量値に関係する関連情報と
の少なくとも１つを評価可能とするように構成されている請求項６７記載のシステム。
【請求項７３】
前記少なくとも１つのコンピュータに接続され、または通信を行って前記少なくとも１つの性能測定値を測定する測定装置をさらに有する請求項５９記載のシステム。
【請求項７４】
前記少なくとも１つのコンピュータは、前記環境内で移動可能な複数のコンピュータを含む請求項７３記載のシステム。
【請求項７５】
空間的に分散した装置または目録の性能計量値または品質測定値を調査する方法であって、
前記環境内の少なくとも１つの場所で前記装置または目録用の少なくとも１つの性能計量値または品質測定値を取得するステップと、
テキスト文字列およびアイコンからなる群から選択される記述的情報を前記少なくとも１つの性能計量値または品質測定値と関連付けるステップと、
前記関連付けステップにて関連付けられた前記記述的情報及び前記少なくとも１つの性能計量値または品質測定値を記憶するステップと
を含む方法。
【請求項７６】
前記装置または目録は、不動産、家具、暖房及び空調、インフラストラクチャ、配管、ケーブル、通信装置、車両、軍の資産からなる群から選択されている請求項７５記載の方法。
【請求項７７】
前記取得ステップは、１つ以上のクライアントコンピュータまたはサーバコンピュータによって実行される請求項７５記載の方法。
【請求項７８】
前記取得ステップは、審美的な品質と、家具の状態と、住居の状態と、パイプまたはバルブの状態と、物理的な外観と、住居または車両と、通信ネットワークの有用性とからなる群から選択される少なくとも１つの品質測定値を取得する請求項７５記載の方法。
【請求項７９】
前記取得ステップは、ＲＳＳＩ、ＳＮＲ、ＳＩＲ、Ｅｃ／Ｉｏ、リトライ数、スループット、帯域幅、サービス品質、ビット誤り率、パケット誤り率、フレーム誤り率、パケット損失率、パケット待ち時間、ラウンドトリップ時間、伝播遅延、送信遅延、処理遅延、待ち行列遅延、ネットワーク容量、パケットジッタ、帯域幅遅延積、ハンドオフ遅延時間、温度、圧力、流量、及び応力からなる群から選択される少なくとも１つの性能計量値を取得する請求項７５記載の方法。
【請求項８０】
空間的に分散した装置または目録の性能計量値または品質測定値を調査するシステムであって、
少なくとも１つのコンピュータと、
前記環境内の少なくとも１つの場所にて前記装置または目録用の少なくとも１つの性能計量値または品質測定値を前記少なくとも１つのコンピュータへと入力する入力部と、
前記少なくとも１つのコンピュータ、または前記少なくとも１つのコンピュータと共に動作する少なくとも１つの測定装置で動作して、テキスト文字列及びアイコンからなる群から選択される記述的情報に前記少なくとも１つの性能計量値または品質測定値を関連付ける少なくとも１つのコンピュータプログラムと、
前記少なくとも１つのコンピュータ、または前記少なくとも１つのコンピュータと共に動作する少なくとも１つの測定装置で動作する前記少なくとも１つのコンピュータプログラムによって関連づけられた、前記少なくとも１つの性能計量値または品質測定値と前記記述的情報とを記憶する記憶媒体と、
を有するシステム。
【請求項８１】
前記装置または目録は、不動産、家具、暖房及び空調、インフラストラクチャ、配管、ケーブル、通信装置、車両、軍の資産からなる群から選択される請求項８０記載のシステム。
【請求項８２】
前記少なくとも１つのコンピュータは、少なくとも１つのクライアントコンピュータ及び少なくとも１つのサーバコンピュータを含む請求項８０記載のシステム。
【請求項８３】
前記入力部は、審美的な品質と、家具の状態と、住居の状態と、パイプまたはバルブの状態と、物理的な外観と、住居または車両と、通信ネットワークの有用性とからなる群から選択される少なくとも１つの品質測定値を入力する請求項８０記載のシステム。
【請求項８４】
前記入力部は、ＲＳＳＩ、ＳＮＲ、ＳＩＲ、Ｅｃ／Ｉｏ、リトライ数、スループット、帯域幅、サービス品質、ビット誤り率、パケット誤り率、フレーム誤り率、パケット損失率、パケット待ち時間、ラウンドトリップ時間、伝播遅延、送信遅延、処理遅延、待ち行列遅延、ネットワーク容量、パケットジッタ、帯域幅遅延積、ハンドオフ遅延時間、温度、圧力、流量、及び応力からなる群から選択される少なくとも１つの性能計量値を入力する請求項８０記載のシステム。
【請求項８５】
空間的に分散したオブジェクト群またはネットワーク群についてのデータを収集するシステムであって、
少なくとも１つのコンピュータと、
測定された性能計量値及び品質測定値からなる群から選択される測定情報を前記少なくとも１つのコンピュータへと入力する入力部と、
前記少なくとも１つのコンピュータ、または前記少なくとも１つのコンピュータと共に動作する少なくとも１つの測定装置で動作して、テキスト文字列及びアイコンからなる群から選択される記述的情報に前記少なくとも１つの性能計量値を関連付ける少なくとも１つのコンピュータプログラムと、
前記少なくとも１つのコンピュータと共に動作する環境データベースモデルと、
前記測定情報及び前記記述的情報の少なくとも一方を前記環境データベースモデルの少なくとも一部と共に表示するディスプレイと、
を有し、前記テキスト文字列及びアイコンは所定の組から選択されるシステム。
【請求項８６】
前記測定情報及び前記記述的情報は、前記環境データベースモデルにおける特定の場所に関係し、
前記ディスプレイは、前記環境データベースモデルにおける前記特定の場所での前記測定情報及び前記記述的情報の前記少なくとも一方を表示する請求項８５記載のシステム。
【手続補正２】
【補正対象書類名】明細書
【補正対象項目名】０００２
【補正方法】変更
【補正の内容】
【０００２】
複数のコンポーネントからなる分散型ネットワークは、建物およびキャンパスの全体にわたって使用され、施設全体にわたって物資を運ぶのに極めて重要である。建物が建設されると、電気コンセントを外部電源に接続するために電線を配線しなければならず、空調ダクトまたは暖房ダクトを、施設またはキャンパスの全体にわたって設置しなければならない。これら複数のコンポーネントからなる分散型ネットワークは、一般に空気、流体、または通信ネットワークもしくは電力ネットワークの場合には電子を、建物もしくはキャンパスの全体にわたって分配する。無線通信ネットワークは、電波または光波を分配して、カバレージを提供する。複数のコンポーネントからなる分散型ネットワークを、建物内もしくは建物間、または都心内もしくは郊外の中心部内に配置すると、建物または中心部の建設が完了した後に、その物理的な場所を突き止めること、および、そのような分散型ネットワークを構成する実際に設置されたコンポーネントの位置を突き止めることは、困難なことが多い。また、現場測定が、この「隠れた」ネットワークの適性、品質、または適切な性能を求めるために実施されなければならない。このような分散型ネットワークは、あらゆる建物もしくはキャンパスまたは都市部の活動にとって極めて重要であり、受動的または能動的なコンポーネントを含むことがある。これら受動的または能動的なコンポーネントは、電力を必要とするか、または、制御信号を供給し、はっきりと見える位置にある場合もあるし、あるいは、地下に埋設されたり、壁の裏に隠れていたり、高い天井に位置したりする場合などもある。
【手続補正３】
【補正対象書類名】明細書
【補正対象項目名】０００７
【補正方法】変更
【補正の内容】
【０００７】
パケット交換ネットワークは、別のタイプのデータ通信ネットワークである。このデータ通信ネットワークでは、すべてのデータは、パケットと呼ばれる多数の小さなデータビットの塊として送信され、パケットは、ある場所から別の場所に個別に送信される。パケットは、メッセージ全体の自己完結した一部であり、ヘッダ、データビット、および時にフッタから構成される。パケットは、データ通信ネットワークが、当該パケットを適切に送信することができ、かつ、パケット内のデータがどのメッセージに所属しているかを知ることができる情報をヘッダおよびフッタに含む。パケット交換ネットワークは、パケットが転送される方法に応じて、コネクション型またはコネクションレス型として分類される。コネクション型ネットワークでは、それぞれの送信について予め定められたネットワークチャネルが使用される。一方、コネクションレス型ネットワークでは、パケットは、複数の送信に共有されるチャネル一斉に送信される。このコネクションレス型の場合、パケットは、受信機のアドレスを与える識別子を必要とする。このアドレスは、通信ネットワークによって理解され、これにより、パケットを正しい受信機に適切に送信することが可能になる。各パケットを別々に送信でき、したがって、各パケットを他の送信からのパケットと併せて交互に配置できるので、共有されたネットワーク資源を用いる場合には、コネクションレス型送信方法を使用する方が、一般に効率は良くなる。
【手続補正４】
【補正対象書類名】明細書
【補正対象項目名】０００９
【補正方法】変更
【補正の内容】
【０００９】
すべての通信ネットワークは、ある形態の通信プロトコルを利用して、情報の送信および受信を規制する。プロトコルは、データの適切な通信が行われるのを可能にするために、通信ネットワーク上のすべてのハードウェアおよびソフトウェアが従わなければならない規則の組である。何百ものプロトコルが、今日、世界的な情報の交換に実際に使用されている。これらのプロトコルのいくつか、例えばインターネットプロトコル（ＩＰ）、伝送制御プロトコル（ＴＣＰ）、またはユーザデータグラムプロトコル（ＵＤＰ）といったプロトコルは、ネットワークがアクセスされる方法を定義する。他のプロトコル、例えばインターネットプロトコル（ＩＰ）、ピング、ハイパーテキスト転送プロトコル（ＨＴＴＰ）、ファイル転送プロトコル（ＦＴＰ）、またはシンプルネットワークマネージメントプロトコル（ＳＮＭＰ）等といったプロトコルは、メッセージおよびパケットがどのようにフォーマットされ、送信され、かつ受信されるかを定義する。
【手続補正５】
【補正対象書類名】明細書
【補正対象項目名】００９１
【補正方法】変更
【補正の内容】
【００９１】
さらに、環境のコンピュータ表現が、部屋、通り、または他の特定可能な場所を示すテキストラベル９０６を含む場合には、そのラベル自体を、測定読み取りが表示されるべき場所の識別子として使用することができる。すなわち、関連付けられたテキスト文字列は、環境のコンピュータ表現内に含まれるテキストラベルと同等であり、測定読み取りを、そのようなテキスト文字列と共に、コンピュータ環境内の当該テキストラベルの場所に自動的に表示することができる。例えば、図９を参照して、テキスト文字列「カウンセリング室１０１Ｄ（COUNSELING ROOM 101D）」と関連付けられる測定読み取りがもしあれば、図９に示すコンピュータ表現内の場所９０７に同等のテキストラベルが存在するので、その測定読み取りは、図９に示すコンピュータ表現内の場所９０６に自動的に表示することができる。本発明においては、テキストラベルおよび／または図形アイコンと、環境のコンピュータ表現内のさまざまな場所および領域との関連付けは、いつでも編集および変更することができる。これは、非常に大きな柔軟性をユーザに提供する。たとえ、読み取り自体が、緯度・経度の座標またはＸＹ座標、Ｘ，Ｙ，Ｚ座標といった絶対的な位置情報を含んでいなくても、ユーザは、収集された特定読み取りの場所特有の表示を完全に制御することができる。
【手続補正６】
【補正対象書類名】明細書
【補正対象項目名】００９４
【補正方法】変更
【補正の内容】
【００９４】
例えば、図１１を参照して、スマイルマークの図形アイコンが、ユーザ（または他のあるプログラマ）によって、長方形領域９０２と関連付けられている。この場合、本発明は、測定読み取りおよび長方形領域９０２の双方が、スマイルマークアイコンと関連付けられていると判断する。次に、本発明は、長方形領域９０２によって特定される領域内に測定データ読み取りを表示する。図１１では、選択された設定は、図形アイコン１１０１自体を表示することである。関連付けられたテキスト文字列および／または図形アイコンが円形領域９０４に割り当てられたものと一致する測定読み取りは、ここでは、テキスト文字列１１０２として表示された特定の測定値を有している。この場合、実際に測定されたスループットの読み取りである「２Ｍｂｐｓ」１１０２が表示されている。関連付けられたテキスト文字列および／または図形アイコンが、選択されたポイント９０５に割り当てられたものと一致する測定読み取りは、色付きの円形エリア１１０３として表示されたある特定の測定値を有している。ここで、円の半径および色彩は、選択された値についてのあるユーザ定義の範囲に対応する。「カウンセリング室１０１Ｄ（COUNSELING ROOM 101D）」のテキスト文字列と関連付けられた測定読み取りは、「カウンセリング室１０１Ｄ（COUNSELING ROOM 101D）」のテキストラベル９０６と同じ位置において色付きの円形領域１１０４として表示される特定の測定値を有している。３Ｄ表示がよく知られてくるに伴い、３Ｄのアスペクト比およびサイズへの変更が利用可能であることが考えられる。